(57)【要約】【課題】製造を複雑にすることなくフライス加工のみによって、被削材に対して所期する範囲の面粗度を精度よく付与できること。【解決手段】軸線回りに回転させられる工具本体と、工具本体の先端外周部に、周方向に互いに間隔をあけて設けられる複数の切れ刃７と、を備えたフライスカッタであって、複数の切れ刃７には、軸線に垂直な仮想平面に沿うように延びる平坦面加工切れ刃２１と、平坦面加工切れ刃２１よりも軸線方向の先端側へ向けて突出する凹溝加工切れ刃３１と、が含まれ、凹溝加工切れ刃３１は、軸線に直交する径方向の外側へ向かうに従い軸線方向の先端側へ向かって延びる第１傾斜部４１と、第１傾斜部４１の径方向の外側に配置され、径方向の外側へ向かうに従い軸線方向の基端側へ向かって延びる第２傾斜部４２と、第１傾斜部４１と第２傾斜部４２とを連結する先端部４３と、を有する。【選択図】図７
2017185601.tif 000002
【特許請求の範囲】
【請求項１】
軸線回りに回転させられる工具本体と、
前記工具本体の先端外周部に、前記軸線回りに沿う周方向に互いに間隔をあけて設けられる複数の切れ刃と、を備えたフライスカッタであって、
前記複数の切れ刃には、
前記軸線に垂直な仮想平面に沿うように延びる平坦面加工切れ刃と、
前記平坦面加工切れ刃よりも前記軸線方向の先端側へ向けて突出する凹溝加工切れ刃と、が含まれ、
前記凹溝加工切れ刃は、
前記軸線に直交する径方向の外側へ向かうに従い前記軸線方向の先端側へ向かって延びる第１傾斜部と、
前記第１傾斜部の前記径方向の外側に配置され、前記径方向の外側へ向かうに従い前記軸線方向の基端側へ向かって延びる第２傾斜部と、
前記第１傾斜部と前記第２傾斜部とを連結する先端部と、を有することを特徴とするフライスカッタ。
【請求項２】
請求項１に記載のフライスカッタであって、
前記平坦面加工切れ刃が、複数設けられており、
複数の前記平坦面加工切れ刃のうち、最も前記軸線方向の先端側に位置する最先端の平坦面加工切れ刃に対して、前記凹溝加工切れ刃が、前記軸線方向の先端側へ向けて突出していることを特徴とするフライスカッタ。
【請求項３】
請求項２に記載のフライスカッタであって、
前記周方向のうち、前記工具本体が回転させられる方向を工具回転方向として、
前記凹溝加工切れ刃の前記工具回転方向に、前記最先端の平坦面加工切れ刃が隣り合って配置されることを特徴とするフライスカッタ。
【請求項４】
請求項１〜３のいずれか一項に記載のフライスカッタであって、
前記平坦面加工切れ刃を前記周方向に回転させて形成される回転軌跡の、前記径方向の長さの範囲内又は前記径方向の内側に、前記凹溝加工切れ刃が配置されることを特徴とするフライスカッタ。
【請求項５】
請求項１〜４のいずれか一項に記載のフライスカッタであって、
前記第１傾斜部と前記第２傾斜部との間に形成される角度が、鈍角又は直角であることを特徴とするフライスカッタ。
【請求項６】
請求項１〜５のいずれか一項に記載のフライスカッタであって、
前記工具本体の先端外周部に、前記周方向に互いに間隔をあけて複数のインサート取付座が形成され、
前記複数のインサート取付座に、前記切れ刃を有する切削インサートがそれぞれ着脱可能に装着されることを特徴とするフライスカッタ。
【請求項７】
軸線回りに回転させられる工具本体の先端外周部に、前記軸線回りに沿う周方向に互いに間隔をあけて形成された複数のインサート取付座のうち、少なくとも１つ以上に着脱可能に装着されるフライス加工用の切削インサートであって、
前記インサート取付座に取り付けられるインサート本体と、
前記インサート本体のすくい面と逃げ面との交差稜線に形成され、該インサート本体のうち最も前記軸線方向の先端側に配置される切れ刃と、を備え、
前記切れ刃は、前記軸線方向の先端側へ向けて突出する凹溝加工切れ刃を有し、
前記凹溝加工切れ刃は、
前記軸線に直交する径方向の外側へ向かうに従い前記軸線方向の先端側へ向かって延びる第１傾斜部と、
前記第１傾斜部の前記径方向の外側に配置され、前記径方向の外側へ向かうに従い前記軸線方向の基端側へ向かって延びる第２傾斜部と、
前記第１傾斜部と前記第２傾斜部とを連結する先端部と、を有することを特徴とする切削インサート。
【請求項８】
請求項７に記載の切削インサートであって、
前記第１傾斜部と前記第２傾斜部との間に形成される角度が、鈍角又は直角であることを特徴とする切削インサート。
【請求項９】
軸線回りに回転させられる工具本体の先端外周部に、前記軸線回りに沿う周方向に互いに間隔をあけて複数の切れ刃を設け、
被削材に対して前記工具本体を、前記周方向に回転させつつ前記軸線に直交する径方向に移動させて、被削材をフライス加工する方法であって、
前記複数の切れ刃のうち、前記軸線に垂直な仮想平面に沿うように延びる平坦面加工切れ刃を用いて、被削材に平坦面を形成し、
前記複数の切れ刃のうち、前記平坦面加工切れ刃よりも前記軸線方向の先端側へ向けて突出する凹溝加工切れ刃を用いて、被削材に前記平坦面から窪む断面Ｖ字状の凹溝を形成することを特徴とするフライス加工方法。
【請求項１０】
請求項９に記載のフライス加工方法であって、
被削材に前記平坦面及び前記凹溝を形成することにより、該被削材の面粗度を、所定範囲に収めることを特徴とするフライス加工方法。
【請求項１１】
請求項９又は１０に記載のフライス加工方法であって、
前記径方向の移動方向に沿う前記工具本体の軸線よりも前方に位置する前記凹溝加工切れ刃により、被削材に、前方に向けて凸となる円弧状の凹溝を形成し、
前記径方向の移動方向に沿う前記軸線よりも後方に位置する前記凹溝加工切れ刃により、被削材に、後方に向けて凸となる円弧状の凹溝を形成し、
これらの凹溝同士を交差させることで、被削材に網目状溝を形成することを特徴とするフライス加工方法。
【請求項１２】
請求項９〜１１のいずれか一項に記載のフライス加工方法であって、
前記凹溝加工切れ刃は、
前記軸線に直交する径方向の外側へ向かうに従い前記軸線方向の先端側へ向かって延びる第１傾斜部と、
前記第１傾斜部の前記径方向の外側に配置され、前記径方向の外側へ向かうに従い前記軸線方向の基端側へ向かって延びる第２傾斜部と、
前記第１傾斜部と前記第２傾斜部とを連結する先端部と、を有し、
前記第１傾斜部と前記第２傾斜部との間に形成される角度を、鈍角又は直角とし、
被削材に付与する予定の面粗度に応じて、前記角度の大きさを設定することを特徴とするフライス加工方法。
【請求項１３】
請求項９〜１２のいずれか一項に記載のフライス加工方法であって、
前記凹溝加工切れ刃を前記周方向に回転させて形成される回転軌跡の直径よりも、加工予定面の幅が小さくされた被削材をフライス加工するときに、
前記加工予定面に対して前記工具本体を前記軸線方向に対向配置し、被削材に対して前記工具本体を、前記径方向に移動させつつ前記軸線方向に接近移動させてフライス削りした後、正面削りに移行し、
前記加工予定面をすべて正面削りした後は、正面削りに移行した位置とオーバーラップする位置で、被削材に対して前記工具本体を、前記径方向に移動させつつ前記軸線方向に離間移動させることを特徴とするフライス加工方法。
【請求項１４】
請求項１３に記載のフライス加工方法であって、
被削材に対して前記工具本体を、前記径方向に移動させつつ前記軸線方向に接近移動させてフライス削りするときの、前記径方向の移動方向に沿う単位長さあたりの前記軸線方向への変位量が、
正面削りをすべて終えた後、被削材に対して前記工具本体を、前記径方向に移動させつつ前記軸線方向に離間移動させるときの、前記径方向の移動方向に沿う単位長さあたりの前記軸線方向への変位量に比べて、小さくされていることを特徴とするフライス加工方法。
【発明の詳細な説明】
【技術分野】
【０００１】
本発明は、被削材の面粗度が所期する範囲に収まるようにフライス加工できるフライスカッタ、切削インサート及びフライス加工方法に関するものである。
【背景技術】
【０００２】
従来、例えば下記特許文献１、２に示されるような刃先交換式フライスカッタが知られている。刃先交換式フライスカッタは、軸線回りに回転させられる工具本体と、工具本体の先端外周部に、周方向に互いに間隔をあけて形成された複数のインサート取付座と、これらのインサート取付座にそれぞれ着脱可能に装着される切削インサートと、を備えている。
【０００３】
また、切削インサートには、被削材を平坦面に加工するための正面刃（平坦面加工切れ刃）が設けられており、該切削インサートがインサート取付座に装着されたときに、正面刃は、工具本体の軸線に垂直な仮想平面に沿うように配置される。切削インサートの正面刃によりフライス加工された被削材の加工面は、平滑な平坦面に仕上げられる。
【０００４】
なお、特許文献１、２に記載された刃先交換式フライスカッタでは、インサート取付座に装着された切削インサートの軸線方向の位置を調整可能な調整機構が備えられており、該調整機構によって、複数の切削インサートの各正面刃が、軸線に垂直な１つの仮想平面上に位置するように調整される。
【０００５】
ところで、例えば自動車用のクラッチハウジングやトランスミッションケースなど、一対のケース体の合わせ面（ケース体の開口に沿って環状に形成される平坦面）同士を当接させて組み合わせる構造においては、上述した刃先交換式フライスカッタ等のフライスカッタにより、あらかじめ合わせ面をフライス加工して平坦面に形成している。そして、これら合わせ面同士の間に、液体パッキン等のシール剤を介在させて、シール性を確保することが行われている。
【０００６】
シール剤を合わせ面に安定して保持させるには、該合わせ面に平滑な平坦面を形成するよりは、ある程度の凹凸が形成された所定範囲の面粗度を付与することが好ましい。つまり、合わせ面に微小な凹凸が形成されていることにより、シール剤との接触面積が増え、シール剤の保持性が高められるとともにシール効果が安定し、また振動等によるシール剤の漏出等も生じにくくなる。詳しくは、被削材の面粗度として、いわゆる細かすぎず粗すぎない面粗度（所定の上限値と下限値の間に収まる面粗度）、例えば、Ｒｚ（十点平均粗さ）で数μｍから数十μｍ程度の所定範囲の面粗度が要求される場合がある。
【０００７】
このような面粗度を実現するには、従来においては、まず刃先交換式フライスカッタにより被削材に平滑な平坦面を加工し、次いで別工程にて、研削砥石等を用いてこの平坦面を適度に傷付けあらすことで、所期する面粗度の合わせ面（加工面）とする必要がある。
【先行技術文献】
【特許文献】
【０００８】
【特許文献１】特開２０１５−２７７０７号公報
【特許文献２】特開２０１５−２７７０８号公報
【発明の概要】
【発明が解決しようとする課題】
【０００９】
しかしながら、刃先交換式フライスカッタにより被削材に平滑な平坦面を加工した後、別工程において、研削砥石等を用いてこの平坦面をあらす製法では、製造工程が複雑になり、生産効率が悪い。
【００１０】
本発明は、このような事情に鑑みてなされたものであって、製造を複雑にすることなくフライス加工のみによって、被削材に対して所期する範囲の面粗度を精度よく付与することができるフライスカッタ、切削インサート及びフライス加工方法を提供することを目的としている。
【課題を解決するための手段】
【００１１】
このような課題を解決して、前記目的を達成するために、本発明は以下の手段を提案している。
すなわち、本発明は、軸線回りに回転させられる工具本体と、前記工具本体の先端外周部に、前記軸線回りに沿う周方向に互いに間隔をあけて設けられる複数の切れ刃と、を備えたフライスカッタであって、前記複数の切れ刃には、前記軸線に垂直な仮想平面に沿うように延びる平坦面加工切れ刃と、前記平坦面加工切れ刃よりも前記軸線方向の先端側へ向けて突出する凹溝加工切れ刃と、が含まれ、前記凹溝加工切れ刃は、前記軸線に直交する径方向の外側へ向かうに従い前記軸線方向の先端側へ向かって延びる第１傾斜部と、前記第１傾斜部の前記径方向の外側に配置され、前記径方向の外側へ向かうに従い前記軸線方向の基端側へ向かって延びる第２傾斜部と、前記第１傾斜部と前記第２傾斜部とを連結する先端部と、を有することを特徴とする。
また本発明は、軸線回りに回転させられる工具本体の先端外周部に、前記軸線回りに沿う周方向に互いに間隔をあけて形成された複数のインサート取付座のうち、少なくとも１つ以上に着脱可能に装着されるフライス加工用の切削インサートであって、前記インサート取付座に取り付けられるインサート本体と、前記インサート本体のすくい面と逃げ面との交差稜線に形成され、該インサート本体のうち最も前記軸線方向の先端側に配置される切れ刃と、を備え、前記切れ刃は、前記軸線方向の先端側へ向けて突出する凹溝加工切れ刃を有し、前記凹溝加工切れ刃は、前記軸線に直交する径方向の外側へ向かうに従い前記軸線方向の先端側へ向かって延びる第１傾斜部と、前記第１傾斜部の前記径方向の外側に配置され、前記径方向の外側へ向かうに従い前記軸線方向の基端側へ向かって延びる第２傾斜部と、前記第１傾斜部と前記第２傾斜部とを連結する先端部と、を有することを特徴とする。
また本発明は、軸線回りに回転させられる工具本体の先端外周部に、前記軸線回りに沿う周方向に互いに間隔をあけて複数の切れ刃を設け、被削材に対して前記工具本体を、前記周方向に回転させつつ前記軸線に直交する径方向に移動させて、被削材をフライス加工する方法であって、前記複数の切れ刃のうち、前記軸線に垂直な仮想平面に沿うように延びる平坦面加工切れ刃を用いて、被削材に平坦面を形成し、前記複数の切れ刃のうち、前記平坦面加工切れ刃よりも前記軸線方向の先端側へ向けて突出する凹溝加工切れ刃を用いて、被削材に前記平坦面から窪む断面Ｖ字状の凹溝を形成することを特徴とする。
【００１２】
本発明は、被削材に対して、フライス加工により平滑な平坦面を形成する点においては、従来のフライスカッタと同様であるが、平滑な平坦面のみを形成するのではなく、この平坦面に凹溝を形成する点に技術的特徴がある。
具体的に本発明では、平坦面を加工する切れ刃（平坦面加工切れ刃）よりも、工具先端側へ向けて突出する凹溝加工切れ刃が備えられており、該凹溝加工切れ刃の第１傾斜部と第２傾斜部によって、被削材の平坦面には、断面Ｖ字状の凹溝が形成される。また、平坦面から窪む複数の凹溝の深さは、互いに略同一となる（つまり凹溝同士の深さが一定となる）。これにより被削材には、平坦面と、凹溝の最深部との間の距離（深さ）に概ね対応する面粗度とされた、所期する表面粗さを有する加工面が形成される。なお、凹溝の最深部の断面形状は、凹溝加工切れ刃の第１傾斜部と第２傾斜部とを連結する先端部の形状に対応して、例えばピンカド（鈍角、直角等）や小Ｒ等とされる。
【００１３】
つまり、従来のように被削材に平坦面をフライス加工しつつ、本発明ではこのフライス加工中（同一工程）において、該平坦面に凹溝をフライス加工する。このような簡単かつ特別な手法によって、被削材の加工面（フライス加工された面）に対して、所期する範囲（所定範囲）の面粗度を精度よく付与することができる。
【００１４】
具体的には、例えば、Ｒｚ（十点平均粗さ）で数μｍから数十μｍ程度の所定範囲の面粗度とされた加工面を、被削材に高精度に形成できる。つまり、被削材の面粗度を、いわゆる細かすぎず粗すぎない面粗度（所望の上限値と下限値の間に収まる面粗度）として、要求される範囲に収めることができる。また、被削材の面粗度をコントロール（制御）することができる。
しかも、本発明によれば、切削送り、加工位置等の切削条件による影響を受けにくいことから、種々の切削条件において、所期する範囲の面粗度とされた加工面を、被削材に安定して形成することができる。
【００１５】
従って、例えば自動車用のクラッチハウジングやトランスミッションケースなどの、一対のケース体の合わせ面のフライス加工において本発明を適用することにより、該合わせ面に対して、所期する面粗度を精度よく付与して、合わせ面同士の間に介在するシール剤の保持性やシール効果を顕著に高めることができる。
【００１６】
また、本発明では、凹溝加工切れ刃の第１傾斜部と第２傾斜部によって、断面Ｖ字状の凹溝が形成されるため、一定の形状とされた凹溝を安定して複数形成することができる。また、フライス加工後において、被削材の加工面に凹溝が形成されたことを視認しやすくすることができる。なお、視認性を高める観点からは、凹溝加工切れ刃における第１傾斜部と第２傾斜部とを連結する先端部が、小Ｒよりはピンカド（鈍角、直角等）に形成されているとより反射量が大きくなり、好ましい。
【００１７】
以上より本発明によれば、製造を複雑にすることなくフライス加工のみによって、被削材に対して所期する範囲の面粗度を精度よく付与することができる。
【００１８】
また、本発明のフライスカッタにおいて、前記平坦面加工切れ刃が、複数設けられており、複数の前記平坦面加工切れ刃のうち、最も前記軸線方向の先端側に位置する最先端の平坦面加工切れ刃に対して、前記凹溝加工切れ刃が、前記軸線方向の先端側へ向けて突出していることが好ましい。
【００１９】
この場合、フライスカッタに設けられた複数の平坦面加工切れ刃のうち、最も軸線方向の先端側に位置する最先端の平坦面加工切れ刃によって被削材がフライス加工されたときに、被削材の平坦面の最終的な軸線方向の高さ位置が決まる。そして、この最終的な高さ位置の平坦面に対して、凹溝加工切れ刃が所定深さの凹溝を形成する。従って、被削材に形成される加工面の面粗度が、所期する範囲の中でも狙い値（中央値）により近い高精度なものとなる。
【００２０】
また、本発明のフライスカッタにおいて、前記周方向のうち、前記工具本体が回転させられる方向を工具回転方向として、前記凹溝加工切れ刃の前記工具回転方向に、前記最先端の平坦面加工切れ刃が隣り合って配置されることが好ましい。
【００２１】
この場合、工具最先端に位置する平坦面加工切れ刃に対して、凹溝加工切れ刃がその直後（工具回転方向とは反対側の直後）に配置されている。従って、被削材の平坦面の最終的な軸線方向の高さ位置が決まった直後に、この平坦面に連続的に凹溝加工切れ刃が切り込んで凹溝が形成されるので、該凹溝の深さが所期する値に近いものになりやすく、また被削材に形成される加工面の面粗度も狙い値に近い高精度なものになりやすい。
すなわち、理論的には、工具本体における凹溝加工切れ刃の周方向位置が、最先端の平坦面加工切れ刃の周方向近傍に配置されていなくても、最先端の平坦面加工切れ刃に対する凹溝加工切れ刃の軸線方向先端側へ向けた切れ刃突き出し量（以下、突出量という）が正確にセットされれば、上記効果は得られるはずである。しかしながら実際には、フライスカッタの剛性や変形、セット時の測定誤差等が生じるため、突出量を正確にセットすることが難しい場合がある。そこで本発明では、工具最先端に位置する平坦面加工切れ刃に対して、凹溝加工切れ刃を直後（工具回転方向とは反対側の直後）に配置することにより、セットバラつき、変形による変位等を抑えて、突出量の精度を安定させることができるようにした。つまり、加工精度の安定性を考慮すると、最先端の平坦面加工切れ刃の周方向近傍に、凹溝加工切れ刃を配置することが望ましい。
【００２２】
詳しくは、一般にフライスカッタにおいては、工具本体の軸線が、被削材の加工予定面（フライス加工される面）に対して垂直とされずに、僅かに傾斜して配置される場合がある（いわゆるヒール角が付与されることがある）。また、スピンドル（主軸）の振れ（加工する平坦面からの振れ）が有ったりすると、平坦面からの凹溝の深さが所期する値から外れることが多くなる。
一方、本発明の上記構成によれば、工具本体にたとえヒール角が付与されていたり、スピンドルに振れが有ったりしても、最先端の平坦面加工切れ刃の直後に連続して凹溝加工切れ刃が切り込むため、工具本体の軸線の傾斜や振れ等による加工品位への影響を、確実に抑制することができる。
【００２３】
また、本発明のフライスカッタにおいて、前記平坦面加工切れ刃を前記周方向に回転させて形成される回転軌跡の、前記径方向の長さの範囲内又は前記径方向の内側に、前記凹溝加工切れ刃が配置されることが好ましい。
【００２４】
この場合、被削材の加工面に所期する面粗度を安定して付与しやすくなる。特に、平坦面加工切れ刃を周方向に回転させて形成される回転軌跡の径方向の長さの範囲内に、凹溝加工切れ刃が配置される場合には、凹溝加工切れ刃の平坦面加工切れ刃からの軸線方向先端側へ向けた突出量を正確に管理しやすくなる。また、平坦面加工切れ刃がフライス加工した平坦面に、凹溝加工切れ刃がほぼ同時に切り込む（ほぼ同じ送り位置において切り込む）こととなるため、被削材に所期する範囲の面粗度とされた加工面をより形成しやすくなる。
【００２５】
また、本発明のフライスカッタにおいて、前記第１傾斜部と前記第２傾斜部との間に形成される角度が、鈍角又は直角であることが好ましい。
また、本発明の切削インサートにおいて、前記第１傾斜部と前記第２傾斜部との間に形成される角度が、鈍角又は直角であることが好ましい。
【００２６】
この場合、凹溝加工切れ刃の第１傾斜部と第２傾斜部との間に形成される角度（先端角）が、鈍角又は直角であって鋭角とされてはいないので、該凹溝加工切れ刃により被削材に確実に凹溝を形成しつつも、この凹溝加工切れ刃の刃先強度が確保される。従って、凹溝加工切れ刃の欠損抑制効果が得られ、長期に亘り安定して凹溝をフライス加工できる。
また、被削材の加工面に形成される凹溝の溝幅を広く確保できるので、フライス加工後の凹溝の視認性を高めることができる。さらに、凹溝の溝幅が広い分、例えばこの加工面の表面近傍（凹溝の底部よりも開口部近傍）でシール剤を保持させやすくすることができ、よってシール効果の向上が期待できる。
【００２７】
また、本発明のフライスカッタにおいて、前記工具本体の先端外周部に、前記周方向に互いに間隔をあけて複数のインサート取付座が形成され、前記複数のインサート取付座に、前記切れ刃を有する切削インサートがそれぞれ着脱可能に装着されることが好ましい。
【００２８】
この場合、フライスカッタは、刃先交換式フライスカッタとされる。従って、例えば切れ刃が摩耗や損傷等した場合に、切削インサートを交換することでこの切れ刃を新しくすることができる。つまり、切れ刃の切れ味を高く維持して切削効率を安定化させることができ、また切れ刃の交換についても簡単かつ安価に対応可能である。
具体的に、例えば、凹溝加工切れ刃を有する切削インサートは、被削材に対して摺動する切れ刃部分（摺動辺）が長く、その分摩耗量が多くなるが、切削インサートを交換することで容易に対応できる。
【００２９】
また、本発明のフライス加工方法において、被削材に前記平坦面及び前記凹溝を形成することにより、該被削材の面粗度を、所定範囲に収めることが好ましい。
【００３０】
この場合、被削材に平坦面と凹溝を形成することにより、該被削材の面粗度を、所定範囲に収めるようにしたので、フライス加工された加工面において、例えばシール剤の保持性やシール効果を、所期する性能にまで確実に高めることができる。
【００３１】
また、本発明のフライス加工方法において、前記径方向の移動方向に沿う前記工具本体の軸線よりも前方に位置する前記凹溝加工切れ刃により、被削材に、前方に向けて凸となる円弧状の凹溝を形成し、前記径方向の移動方向に沿う前記軸線よりも後方に位置する前記凹溝加工切れ刃により、被削材に、後方に向けて凸となる円弧状の凹溝を形成し、これらの凹溝同士を交差させることで、被削材に網目状溝を形成することが好ましい。
【００３２】
この場合、フライス加工後の被削材の加工面には、凹溝同士が交差させられた網目状溝（クロスハッチング溝）が形成される。従って、被削材の加工面において、凹溝を見る角度等に係わらず視認しやすくすることができる。
また、被削材の加工面に凹溝を形成したことによる効果が安定したものとなる。具体的に、被削材の加工面に形成された凹溝同士は、互いに連通されているので、例えば凹溝にシール剤を保持するような場合において、シール剤を凹溝に供給した時点では加工面の各部で保持量に偏りが生じていたとしても、互いに連通された凹溝内を通して、このような偏りが自然に解消される。つまり、シール剤を加工面全体に均等に保持することができるので、シール効果が安定する。また、被削材の加工面において、凹溝同士の配置間隔が小さくなるので、該加工面の面粗度のバラつきを顕著に小さくすることができる。
【００３３】
また、本発明のフライス加工方法において、前記凹溝加工切れ刃は、前記軸線に直交する径方向の外側へ向かうに従い前記軸線方向の先端側へ向かって延びる第１傾斜部と、前記第１傾斜部の前記径方向の外側に配置され、前記径方向の外側へ向かうに従い前記軸線方向の基端側へ向かって延びる第２傾斜部と、前記第１傾斜部と前記第２傾斜部とを連結する先端部と、を有し、前記第１傾斜部と前記第２傾斜部との間に形成される角度を、鈍角又は直角とし、被削材に付与する予定の面粗度に応じて、前記角度の大きさを設定することが好ましい。
【００３４】
この場合、凹溝加工切れ刃の第１傾斜部と第２傾斜部との間に形成される角度（先端角）が、鈍角又は直角であり、鋭角とされてはいないので、該凹溝加工切れ刃により被削材に確実に凹溝を形成しつつも、この凹溝加工切れ刃の刃先強度が確保される。従って、凹溝加工切れ刃の欠損抑制効果が得られ、長期に亘り安定して凹溝をフライス加工できる。
また、被削材の加工面に形成される凹溝の溝幅を広く確保できるので、フライス加工後の凹溝の視認性を高めることができる。さらに、凹溝の溝幅が広い分、例えばこの加工面の表面付近（凹溝の底部よりも開口部近傍）でシール剤を保持させやすくすることができ、よってシール効果の向上が期待できる。
【００３５】
さらに、上記構成によれば、被削材に付与する予定の面粗度（狙いの面粗度）に応じて、凹溝加工切れ刃の前記角度（先端角）の大きさを設定する（適宜選択する）ようにしたので、下記の作用効果が得られる。
例えば、被削材に付与する予定の面粗度が、５〜２０μｍ、２０〜４０μｍ、４０〜６０μｍのうちいずれかの範囲であるものとする。この場合において、被削材の加工面に対して、小さい面粗度である上記５〜２０μｍの範囲となるように凹溝を形成するときには、凹溝加工切れ刃の先端角の大きさを、例えば１７０°（大きな先端角）に設定する。また、中くらいの大きさの面粗度である上記２０〜４０μｍの範囲となるように凹溝を形成するときには、凹溝加工切れ刃の先端角の大きさを、例えば１６０°（中くらいの大きさの先端角）に設定する。また、大きい面粗度である上記４０〜６０μｍの範囲となるように凹溝を形成するときには、凹溝加工切れ刃の先端角の大きさを、例えば１５０°（小さな先端角）に設定する。つまり、被削材に付与する予定の面粗度が大きくなるに従い（凹溝の深さが深くなるに従い）、凹溝加工切れ刃の先端角の大きさを小さくしていくことにより、被削材の加工面に形成される凹溝の溝幅（溝開口部の幅）や溝本数を安定させて、見やすくすることができる。
【００３６】
また、本発明のフライス加工方法において、前記凹溝加工切れ刃を前記周方向に回転させて形成される回転軌跡の直径よりも、加工予定面の幅が小さくされた被削材をフライス加工するときに、前記加工予定面に対して前記工具本体を前記軸線方向に対向配置し、被削材に対して前記工具本体を、前記径方向に移動させつつ前記軸線方向に接近移動させてフライス削りした後、正面削りに移行し、前記加工予定面をすべて正面削りした後は、正面削りに移行した位置とオーバーラップする位置で、被削材に対して前記工具本体を、前記径方向に移動させつつ前記軸線方向に離間移動させることが好ましい。
【００３７】
このようにフライス加工された被削材の加工面には、加工開始時及び終了時に従来では意図せず形成されていた工具進入・退出による痕跡（いわゆるカッターマーク）が形成され難くなる。従って、本発明の上記構成によれば、被削材の加工面にカッターマークが形成されることを防止でき、該加工面全体にわたって凹溝が均等に形成されるため、上述した本発明の作用効果がこの加工面全体にわたって安定して奏功されることになる。
【００３８】
また、本発明のフライス加工方法において、被削材に対して前記工具本体を、前記径方向に移動させつつ前記軸線方向に接近移動させてフライス削りするときの、前記径方向の移動方向に沿う単位長さあたりの前記軸線方向への変位量が、正面削りをすべて終えた後、被削材に対して前記工具本体を、前記径方向に移動させつつ前記軸線方向に離間移動させるときの、前記径方向の移動方向に沿う単位長さあたりの前記軸線方向への変位量に比べて、小さくされていることが好ましい。
【００３９】
この場合、被削材に対して工具本体をカッターインするときのテーパ移動の傾き（移動方向に沿う単位長さあたりの軸線方向への変位量）が、工具本体をカッターアウトするときのテーパ移動の傾きよりも小さくされているので、特に正面削りを開始する際につきやすいカッターマークを、効果的に抑制することができる。
【発明の効果】
【００４０】
本発明のフライスカッタ、切削インサート及びフライス加工方法によれば、製造を複雑にすることなくフライス加工のみによって、被削材に対して所期する範囲の面粗度を精度よく付与することができる。
【図面の簡単な説明】
【００４１】
【図１】本発明の一実施形態に係る刃先交換式フライスカッタを示す縦断面図である。
【図２】刃先交換式フライスカッタを、工具軸線方向の先端から基端側へ向けて見た正面図である。
【図３】刃先交換式フライスカッタの外周の一部を拡大して示す側面図である。
【図４】刃先交換式フライスカッタに装着される複数の切削インサートのうち、平坦面加工切れ刃を備えた切削インサート（平坦面加工用インサート）を示す平面図である。
【図５】切削インサートの側面図である。
【図６】刃先交換式フライスカッタに装着される複数の切削インサートのうち、凹溝加工切れ刃を備えた切削インサート（凹溝加工用インサート）を示す平面図である。
【図７】（ａ）図４のＡ部（平坦面加工切れ刃）及び図６のＢ部（凹溝加工切れ刃）を拡大して示す図であるとともに、これら切れ刃同士の回転軌跡の位置関係を説明する図、（ｂ）（ａ）の要部を拡大して示す図である。
【図８】（ａ）刃先交換式フライスカッタによるフライス加工（正面削り）を説明する側面図、（ｂ）刃先交換式フライスカッタによるフライス加工で、被削材の加工面に網目状溝（クロスハッチ溝）を形成する技術を説明する上面図である。
【図９】被削材の加工面に形成された平坦面及び凹溝を説明する断面図である。
【図１０】刃先交換式フライスカッタによるフライス加工において、（ａ）カッターイン（正面削りへの移行）時のツールパスを説明する図、（ｂ）カッターアウト（正面削りの終了）時のツールパスを説明する図である。
【図１１】切削インサート（凹溝加工用インサート）の変形例を示す平面図である。
【図１２】（ａ）図４のＡ部（平坦面加工切れ刃）及び図１１のＤ部（凹溝加工切れ刃）を拡大して示す図であるとともに、これら切れ刃同士の回転軌跡の位置関係を説明する図、（ｂ）（ａ）の要部を拡大して示す図である。
【図１３】切削インサート（凹溝加工用インサート）の変形例を示す平面図である。
【図１４】（ａ）図４のＡ部（平坦面加工切れ刃）及び図１３のＥ部（凹溝加工切れ刃）を拡大して示す図であるとともに、これら切れ刃同士の回転軌跡の位置関係を説明する図、（ｂ）（ａ）の要部を拡大して示す図である。
【図１５】切削インサート（凹溝加工用インサート）の変形例を示す平面図である。
【図１６】（ａ）図４のＡ部（平坦面加工切れ刃）及び図１５のＨ部（凹溝加工切れ刃）を拡大して示す図であるとともに、これら切れ刃同士の回転軌跡の位置関係を説明する図、（ｂ）（ａ）の要部を拡大して示す図である。
【発明を実施するための形態】
【００４２】
以下、本発明の一実施形態に係る刃先交換式フライスカッタ１、及びこれに用いられるフライス加工用の切削インサート２０、３０について、図面を参照して説明する。
【００４３】
〔刃先交換式フライスカッタの概略構成〕
図１〜図３に示されるように、本実施形態の刃先交換式フライスカッタ１は、例えばアルミ合金等の金属材料からなる被削材にフライス加工を施す切削工具（転削工具）であり、具体的にこの刃先交換式フライスカッタ１は、被削材に主に正面削り（工具本体２の軸線Ｏに垂直な加工面を形成するフライス削り。図８（ａ）参照）を施すフライスカッタである。
【００４４】
本実施形態の刃先交換式フライスカッタ１は、鋼材等で形成された工具本体２と、超硬合金及び超高圧焼結体等の硬質材料で形成された切削インサート２０、３０と、を備えており、軸線Ｏ回りに回転させられる工具本体２の先端外周部に形成された凹状のインサート取付座４に、切れ刃７を有する切削インサート２０、３０が着脱可能に装着される。
図１及び図２において、工具本体２のインサート取付座４に取り付けられた切削インサート２０、３０は、その切れ刃７が、工具本体２の先端側及び径方向外側に突出して配置される。本実施形態の刃先交換式フライスカッタ１は、インサート取付座４が工具本体２に周方向に間隔をあけて例えば１２箇所と多数形成されており、該インサート取付座４の数に応じて、切削インサート２０、３０も多数設けられた、いわゆる多刃のフライスカッタである。
【００４５】
刃先交換式フライスカッタ１は、その工具本体２の基端部（上端部）が工作機械の主軸等（不図示）に取り付けられ、軸線Ｏ回りの工具回転方向Ｔに回転させられつつ、軸線Ｏに交差する方向に送りを与えられて、工具本体２の先端外周部（下端外周部）に配設された切削インサート２０、３０の切れ刃７により、金属材料等の被削材をフライス削り（フライス加工）する。具体的に、この刃先交換式フライスカッタ１は、工具回転方向Ｔに回転させられつつ、軸線Ｏに直交する方向に送りを与えられることにより、被削材に主として正面削り（正面フライス加工）を施す。
そして、この刃先交換式フライスカッタ１によれば、後述する特別な構成により、被削材の加工面（フライス加工された面）に対して、所期する範囲（所定範囲）の面粗度を精度よく付与することができる。
【００４６】
〔本明細書で用いる向き（方向）の定義〕
本明細書では、図１〜図３において、工具本体２の軸線Ｏに沿う方向（軸線Ｏ方向）のうち、工作機械の主軸等に取り付けられる工具本体２の取付部（基端部）から、インサート取付座４へ向かう方向を先端側（図１及び図３における下側）といい、インサート取付座４から取付部へ向かう方向を基端側（図１及び図３における上側）という。
また、軸線Ｏに直交する方向を径方向といい、径方向のうち、軸線Ｏに接近する向きを径方向の内側といい、軸線Ｏから離間する向きを径方向の外側という。
また、軸線Ｏ回りに周回する方向を周方向といい、周方向のうち、切削時に工作機械の主軸等により工具本体２が回転させられる向きを工具回転方向Ｔといい、これとは反対の回転方向を、工具回転方向Ｔとは反対側（反工具回転方向）という。
【００４７】
〔工具本体〕
図１〜図３において、工具本体２は、円柱状又は円盤状をなしており、その中心軸（軸線Ｏ）回りに、工作機械の主軸等により回転させられる。本実施形態の例では、図１に示されるように、工具本体２が円柱状をなしている。
また、工具本体２には、該工具本体２を軸線Ｏ方向に貫通する取付孔５が形成されている。取付孔５の先端側の開口から該取付孔５内に不図示のボルト部材を挿入し、工作機械の主軸等に螺着することにより、該主軸等に対する工具本体２の移動が規制されて、工具本体２は固定される。
【００４８】
工具本体２の先端外周部には、周方向に互いに間隔をあけて、該先端外周部から凹状に切り欠かれるように複数のチップポケット６が形成されている。
これらのチップポケット６において、工具回転方向Ｔとは反対側に位置する部分には、切削インサート２０、３０が着脱可能に装着されるインサート取付座４がそれぞれ設けられている。インサート取付座４は、切削インサート２０、３０の形状に対応して、長方形穴状又は溝状をなしている。
また、工具本体２には、インサート取付座４に装着された切削インサート２０、３０の切れ刃７の軸線Ｏ方向の位置を調整可能な調整機構２５が設けられている。
インサート取付座４及び調整機構２５の構成については、切削インサート２０、３０の構成を説明した後に、別途詳述する。
なお、図３に符号３５で示されるものは、刃先交換式フライスカッタ１の回転バランスを調整するためのバランスネジである。バランスネジ３５は、工具本体２の外周面において、周方向に互いに間隔をあけて複数設けられている。
【００４９】
図１及び図３において、チップポケット６には、インサート取付座４に装着された切削インサート２０、３０の切れ刃７近傍に向けて、クーラント（油性又は水溶性の切削液剤）を噴出するクーラント孔３が開口している。クーラント孔３は、その基端部が、工具本体２の基端部に装着される工作機械の主軸等を通して不図示のクーラント供給手段に接続し、その先端部が、チップポケット６に開口する。
【００５０】
〔切削インサート〕
本実施形態では、工具本体２の先端外周部に周方向に互いに間隔をあけて形成された複数のインサート取付座４に対して、フライス加工用であり互いに切れ刃７形状が異なる切削インサート２０（平坦面加工用インサート）及び切削インサート３０（凹溝加工用インサート）のうち、いずれかが装着される。切削インサート２０、３０は、フライス加工の中でも特に、正面フライス加工（正面削り）に用いられる正面フライス用インサートである。これらの切削インサート２０、３０同士は、互いの切れ刃７形状以外の構成については、概ね共通している。
【００５１】
切削インサート２０、３０のうち、凹溝加工用の切削インサート３０は、工具本体２の複数のインサート取付座４のうち、少なくとも１つ以上に着脱可能に装着される。本実施形態では、工具本体２の複数のインサート取付座４のうち、凹溝加工用の切削インサート３０が、１つのインサート取付座４のみに設けられ、それ以外の複数のインサート取付座４には、平坦面加工用の切削インサート２０がそれぞれ設けられている。
【００５２】
図４〜図６に示されるように、切削インサート２０、３０は、工具本体２のインサート取付座４に取り付けられるインサート本体１１と、インサート本体１１のすくい面１２と逃げ面１３との交差稜線に形成され、該インサート本体１１のうち最も先端側に配置される切れ刃７と、を備えている。
図２に示されるように、複数の切削インサート２０、３０の各切れ刃７は、工具本体２の先端外周部において、周方向に互いに間隔をあけて配置される。本実施形態の刃先交換式フライスカッタ１が備える複数の切れ刃７には、軸線Ｏに垂直な仮想平面に沿うように延びる平坦面加工切れ刃２１（図４に示される平坦面加工用の切削インサート２０の切れ刃７）と、平坦面加工切れ刃２１よりも先端側へ向けて突出する凹溝加工切れ刃３１（図６に示される凹溝加工用の切削インサート３０の切れ刃７）と、が含まれている。
【００５３】
〔インサート本体〕
図４〜図６において、切削インサート２０、３０のインサート本体１１は、多角形板状をなしており、具体的に本実施形態では、インサート本体１１が長方形板状をなしている。インサート取付座４に装着されたときに切削インサート２０、３０は、インサート本体１１の長方形面（表裏面）の長手方向（長方形面が延在する方向。図４及び図６における上下方向）が、工具本体２の軸線Ｏ方向に沿うように配置される。また、インサート本体１１の長方形面の短手方向（長方形面の幅方向。図４及び図６における左右方向）が、工具本体２の径方向に沿うように配置される。また、インサート本体１１の厚さ方向（長方形面に直交する方向。図５における左右方向）が、工具本体２の周方向に沿うように配置される。
【００５４】
インサート本体１１は、長方形板状をなす台金部１４と、該台金部１４の１つのコーナ部に接合され、切れ刃７が形成された三角形板状の切刃部１５と、を備えている。
台金部１４は、超硬合金等の硬質な焼結合金により形成されている。切刃部１５は、台金部１４よりも高硬度なダイヤモンド焼結体やｃＢＮ焼結体等の超高圧焼結体により形成されている。なお、インサート本体１１は、台金部１４及び切刃部１５を含めたその全体が、超硬合金等の硬質な焼結合金により一体に形成されていてもよい。
【００５５】
本実施形態においては、切刃部１５が、インサート本体１１の表裏面をなす一対の多角形面（長方形面）１１Ａ、１１Ｂのうち、表面となる一方の多角形面１１Ａの１つのコーナ部（この切削インサート２０、３０がインサート取付座４に装着されたときに刃先交換式フライスカッタ１の先端外周部に位置するコーナ部）に配置されて、台金部１４に接合される。
【００５６】
台金部１４における一方の多角形面１１Ａの前記コーナ部には、この多角形面１１Ａからインサート本体１１の厚さ方向に窪む略直角三角形の切り欠き形状をなす凹部１６が形成されており、この凹部１６に切刃部１５が、ロウ付け等により、又は台金部１４と一体焼結されることにより、接合されている。
【００５７】
また、台金部１４の一方の多角形面１１Ａには、該多角形面１１Ａから厚さ方向に窪むクランプ用凹所１７が形成されている。本実施形態の例では、図４及び図６に示されるインサート平面視で、クランプ用凹所１７がＤ字状をなしている。クランプ用凹所１７の深さ（厚さ方向の長さ）は、インサート本体１１の短手方向に沿う切刃部１５から該切刃部１５とは反対側の端部に向かうに従い浅くされており、つまりクランプ用凹所１７の底面は、傾斜面とされている。
【００５８】
また、一方の多角形面１１Ａにおいて、クランプ用凹所１７と、切刃部１５との間に位置する部分には、この多角形面１１Ａから厚さ方向に突出するとともに該多角形面１１Ａ上を延びる切屑処理用リブ１８が形成されている。切屑処理用リブ１８は、図４及び図６に示されるインサート平面視において、略直角三角形状をなす切刃部１５及び凹部１６の斜辺に沿うように、直線状に延びて形成されている。
【００５９】
切屑処理用リブ１８は、インサート本体１１の前記コーナ部に位置する切刃部１５を、該インサート本体１１の長手方向及び短手方向から囲うように形成されている。従って、この切削インサート２０、３０がインサート取付座４に装着されたときに、図１に示されるように切屑処理用リブ１８は、切刃部１５を、工具本体２の軸線Ｏ方向に沿う基端側から、かつ径方向の内側から囲うように配置される。
【００６０】
図２に示されるように、インサート本体１１の台金部１４の厚さ（厚さ方向の長さ）、すなわちインサート本体１１の表面となる一方の多角形面１１Ａと、裏面となる他方の多角形面１１Ｂとの間の距離は、インサート本体１１の短手方向（図２における工具本体２の径方向に相当）の切刃部１５から、該切刃部１５とは反対側の端部へ向かうに従い（工具本体２の径方向内側へ向かうに従い）厚くされている。
【００６１】
図４〜図６において、切刃部１５は、一定の厚さの略直角三角形板状をなしている。切刃部１５において厚さ方向を向く一対の三角形面のうち、裏面となる三角形面は凹部１６に接合され、表面となる三角形面は、インサート本体１１の一方の多角形面１１Ａの前記コーナ部において外部に露出させられて、すくい面１２とされる。
また、切刃部１５において厚さ方向に垂直な方向を向く外周面には、略長方形面状をなす３つの側面が形成されており、これら側面のうち、直角三角形板状の切刃部１５の斜辺に位置する側面は、凹部１６に接合される。また、３つの側面のうち、このインサート本体１１がインサート取付座４に装着されたときに、工具本体２の先端側を向く側面及び工具本体２の径方向外側を向く側面は、逃げ面１３とされる。
【００６２】
切削インサート２０、３０の切れ刃７は、切刃部１５のすくい面１２と逃げ面１３の交差稜線に形成されている。本実施形態では、切削インサート２０、３０がインサート取付座４に装着されたときに、切れ刃７のすくい面１２の軸方向すくい角（アキシャルレーキ角）がポジティブ角とされる。また、切れ刃７の逃げ面１３には、逃げ角が付与される。
切れ刃７のうち、インサート本体１１の一方の多角形面（長方形面）１１Ａの短辺に沿うように延びる切れ刃（短手方向に延びる切れ刃）は、切削インサート２０、３０がインサート取付座４に装着されたときに該インサート取付座４から工具本体２の先端側に向けて突出させられる正面刃とされる。また、切れ刃７のうち、一方の多角形面１１Ａの長辺に沿うように延びる切れ刃（長手方向に延びる切れ刃）は、切削インサート２０、３０がインサート取付座４に装着されたときに該インサート取付座４から工具本体２の径方向外側に向けて突出させられる外周刃とされる。
【００６３】
〔平坦面加工用の切削インサートの切れ刃〕
平坦面加工用の切削インサート２０の切れ刃７について説明する。
図４及び図７（ａ）に示されるように、切削インサート２０の切れ刃７は、正面刃２１と、外周刃２２と、これらを接続するコーナ刃２３と、を有する。切削インサート２０の正面刃２１は、インサート本体１１の短手方向に沿って直線状に延びる平坦面加工切れ刃２１とされている。外周刃２２は、インサート本体１１の長手方向に沿って直線状に延びている。コーナ刃２３は、凸曲線状をなしており、正面刃２１の短手方向に沿うインサート外側の端縁（径方向の外縁）と、外周刃２２の長手方向に沿うインサート外側の端縁（先端縁）とに、それぞれ接するように繋がっている。
また、切れ刃７のうち、平坦面加工切れ刃２１に対してインサート本体１１の短手方向に沿う外周刃２２とは反対側に隣接する部分は、該平坦面加工切れ刃２１との接続部分から前記反対側へ向かうに従い、インサート本体１１の長手方向に沿うインサート内側へ向けて傾斜して延びている（長手方向のインサート内側へ向けて徐々に後退している）。
【００６４】
この切削インサート２０がインサート取付座４に装着されたときに、平坦面加工切れ刃２１は、工具本体２の軸線Ｏに垂直な仮想平面に沿うように延びて配置される。なお、平坦面加工切れ刃２１は、軸線Ｏに垂直な仮想平面に沿うように延びていればよいことから、上述した直線状に限定されるものではなく、例えば、曲率半径の大きな凸曲線状をなしていてもよい。
【００６５】
図７（ａ）において、インサート本体１１の短手方向に沿う平坦面加工切れ刃２１の長さＰ（つまり平坦面加工切れ刃２１の刃長）は、例えば２ｍｍ以下である。また、インサート本体１１の短手方向に沿うコーナ刃２３の長さＱは、該コーナ刃２３の曲率半径の大きさに対応しており、例えば０．４〜０．８ｍｍである。
【００６６】
また本実施形態では、工具本体２の複数のインサート取付座４に対して、複数の切削インサート２０が装着されることから、該工具本体２には、周方向に互いに間隔をあけて複数の平坦面加工切れ刃２１が設けられている。これらの平坦面加工切れ刃２１の軸線Ｏ方向の位置は、互いに略同一とされてはいるが、そのうち、最も軸線Ｏ方向の先端側に配置される最先端の平坦面加工切れ刃２１は予め決められている（選択されている）。そして、この最先端の平坦面加工切れ刃２１が、被削材の加工面に形成される平坦面を最終仕上げ加工するさらい刃とされる。図２においては、前記最先端の平坦面加工切れ刃２１を有する切削インサート２０に対して、それ以外の切削インサート２０とは区別して、符号２０Ａを付している。
【００６７】
特に図示していないが、最先端の平坦面加工切れ刃２１から、複数の平坦面加工切れ刃２１のうち最も軸線Ｏ方向の基端側に配置される最基端の平坦面加工切れ刃２１までの、軸線Ｏ方向に沿う距離（つまり正面振れ精度）は、管理値で例えば５μｍ以下であることが好ましい。
【００６８】
〔凹溝加工用の切削インサートの切れ刃〕
凹溝加工用の切削インサート３０の切れ刃７について説明する。
図６及び図７（ａ）に示されるように、切削インサート３０の切れ刃７は、正面刃３１と、外周刃３２と、これらを接続するコーナ刃３３と、を有する。切削インサート３０の正面刃３１は、インサート本体１１の長手方向に沿うインサート外側へ向けて突出する凸Ｖ字状をなす凹溝加工切れ刃３１とされている。外周刃３２は、インサート本体１１の長手方向に沿って直線状に延びている。コーナ刃３３は、長手方向及び短手方向に対して傾斜する直線状をなして面取り形状とされており、正面刃３１の短手方向に沿うインサート外側の端縁（径方向の外縁）と、外周刃３２の長手方向に沿うインサート外側の端縁（先端縁）とに、それぞれ鈍角に交差するように繋がっている。
また、切れ刃７のうち、凹溝加工切れ刃３１に対してインサート本体１１の短手方向に沿う外周刃３２とは反対側に隣接する部分（内側刃３６）は、該凹溝加工切れ刃３１との接続部分から前記反対側へ向かうに従い、インサート本体１１の長手方向に沿うインサート内側へ向けて傾斜して延びている（長手方向のインサート内側へ向けて徐々に後退している）。
【００６９】
図７（ａ）（ｂ）は、平坦面加工用の切削インサート２０の切れ刃７と、凹溝加工用の切削インサート３０の切れ刃７の、軸線Ｏ回りの回転軌跡における相対位置（軸線Ｏ方向及び径方向の相対位置）を表している。
凹溝加工用の切削インサート３０がインサート取付座４に装着されたときに、凹溝加工切れ刃３１は、複数の平坦面加工切れ刃２１のうち、最先端の平坦面加工切れ刃２１よりも軸線Ｏ方向の先端側へ向けて突出させられる。
【００７０】
具体的には、最先端の平坦面加工切れ刃２１に対して、凹溝加工切れ刃３１が軸線Ｏ方向の先端側へ向けて突出する突出量Ｓが、被削材の加工面に付与する予定の所期する面粗度（狙いの面粗度）に応じて、所定値に設定される。なお、突出量Ｓ（所定値）を求めるには、狙いの面粗度に対して、凹溝加工切れ刃３１の突出量Ｓを僅かに小さく設定する。例えば、下記式１、２は、この事を示す式である。
・式１「突出量（μｍ）＝０．９２４８×狙いの面粗度Ｒｚ（μｍ）−０．３４４５」
・式２「突出量（μｍ）＝０．９４０７×狙いの面粗度Ｒｚ（μｍ）−０．５９８４」
また、狙いの面粗度は、ばらつき（最大約８μｍ）を考慮し、要求される面粗度（予定の所期する範囲）の中央値にすることが望ましい。
なお、突出量Ｓ（所定値）は、上記式１、２以外の手法により求めてもよい。
【００７１】
図２に示されるように、本実施形態では、最先端の平坦面加工切れ刃２１を有する平坦面加工用の切削インサート２０Ａ（最先端の切削インサート２０）における工具回転方向Ｔとは反対側に隣り合って（つまり工具回転方向Ｔの直後に）、凹溝加工切れ刃３１を有する凹溝加工用の切削インサート３０が配置されている。言い換えると、凹溝加工切れ刃３１の工具回転方向Ｔに、最先端の平坦面加工切れ刃２１が隣り合って配置されている。
【００７２】
図７（ａ）（ｂ）に示されるように、凹溝加工切れ刃３１は、工具本体２の径方向の外側（図７における右側）へ向かうに従い軸線Ｏ方向の先端側へ向かって延びる第１傾斜部４１と、第１傾斜部４１の径方向の外側に配置され、径方向の外側へ向かうに従い軸線Ｏ方向の基端側へ向かって延びる第２傾斜部４２と、第１傾斜部４１と第２傾斜部４２とを連結する先端部４３と、を有している。このため凹溝加工切れ刃３１は、全体として工具本体２の先端側（図７における下側）へ向けて凸となる凸Ｖ字状に形成される。
【００７３】
第１傾斜部４１と第２傾斜部４２との間に形成される角度θ（先端角）は、鈍角又は直角であり、本実施形態においては鈍角とされていて、具体的にはこの角度θが、例えば１７０°とされている。角度θの大きさは、被削材の加工面に付与する予定の所期する面粗度（狙いの面粗度）に応じて設定される。具体的に本実施形態では、所期する面粗度が５〜２０μｍと小さくされており、これに応じて凹溝加工切れ刃３１の角度θの大きさが、平角（１８０°）に近い大きな鈍角とされている。所期する面粗度の大きさと、角度θの大きさとの関係については、別途後述する。
また、第１傾斜部４１と第２傾斜部４２とは、先端部４３を通り工具本体２の軸線Ｏに平行な仮想直線Ｃを対称軸として、線対称形状に形成されている。
【００７４】
図７（ａ）（ｂ）に示されるように、平坦面加工切れ刃２１を工具本体２の軸線Ｏ回りに回転させて形成される回転軌跡の、径方向の長さの範囲内に、凹溝加工切れ刃３１が配置されている。すなわち、平坦面加工切れ刃２１の径方向に沿う刃長Ｐの範囲内に、凹溝加工切れ刃３１の径方向位置が設定される。
図示の例では、凹溝加工切れ刃３１が、平坦面加工切れ刃２１の回転軌跡（刃長Ｐ）のうち、径方向の外側部分に対応して配置されている。ただしこれに限定されるものではなく、凹溝加工切れ刃３１は、平坦面加工切れ刃２１の回転軌跡のうち、径方向の内側部分に対応して配置されていてもよい。また、凹溝加工切れ刃３１は、平坦面加工切れ刃２１の回転軌跡のうち、径方向の内端部と外端部の間の中間部分（中央部を含む）に対応して配置されていてもよい。
図７（ａ）において、インサート本体１１の短手方向に沿う外周刃３２から凹溝加工切れ刃３１の先端部４３までの長さＲは、Ｑ≦Ｒ≦（Ｐ＋Ｑ）であり、好ましくは、Ｒ≒（Ｐ／２）＋Ｑである。
【００７５】
例えば、平坦面加工切れ刃２１が、曲率半径の大きな凸曲線状に形成されている場合には、該平坦面加工切れ刃２１の回転軌跡のうち、最も軸線Ｏ方向の先端側に位置する最先端部分に対応して（最先端部分と同一の径方向位置となるように）、凹溝加工切れ刃３１が配置されることが好ましい。これにより上記突出量Ｓが、精度よく所定値に設定される。
なお、実際の突出量Ｓは、上記式１、２等により算出した狙いの所定値に対して、管理値で例えば±１μｍの範囲内であることが好ましい。
【００７６】
また本実施形態では、平坦面加工切れ刃２１を周方向に回転させて形成される回転軌跡の径方向の長さの範囲内に、凹溝加工切れ刃３１が配置されているが、これに限定されるものではない。例えば、平坦面加工切れ刃２１の前記回転軌跡の径方向の内側に、凹溝加工切れ刃３１が配置されていてもよい。
【００７７】
また本実施形態では、第１傾斜部４１及び第２傾斜部４２が、それぞれ直線状をなしており、先端部４３は、これら傾斜部４１、４２の先端縁同士を接続する尖った角部（ピンカド）に形成されている。ただしこれに限定されるものではなく、第１傾斜部４１及び第２傾斜部４２は、例えば直線状以外の、凸曲線状、凹曲線状、及びこれらが複合して組み合わされた線状等に形成されていてもよい。また先端部４３は、上記ピンカド以外の小Ｒ形状等に形成されていてもよい。
【００７８】
〔インサート取付座〕
図１〜図３に示されるように、インサート取付座４は、工具本体２の先端面と外周面とに開口して軸線Ｏ方向に延びており、長方形穴状又は溝状をなしている。インサート取付座４は、工具回転方向Ｔとは反対側を向く取付座壁面８と、工具回転方向Ｔを向く取付座壁面９と、該インサート取付座４の径方向内側の端部（奥部）に位置して径方向外側を向くとともに、取付座壁面８、９同士を接続する取付座底面１０と、を備えている。
【００７９】
本実施形態の例では、取付座壁面８は、軸線Ｏを含む仮想平面に沿うように形成された平面状をなしており、取付座底面１０は、この取付座壁面８と略垂直に交差する平面状に形成されている。また、取付座壁面９は、取付座底面１０から径方向外側に向かうに従い取付座壁面８に近づくように傾斜する平面状に形成されている。
【００８０】
工具本体２の外周面のうち、インサート取付座４よりも工具回転方向Ｔに位置する部分には、不図示のネジ孔が開口しており、該ネジ孔は、工具本体２の外周面からインサート取付座４の取付座壁面８まで貫通して形成されている。ネジ孔は、工具本体２の外周面から工具回転方向Ｔとは反対側へ向かうに従い漸次径方向の内側へ向けて傾斜して延びている。このネジ孔には、切削インサート２０、３０のインサート本体１１を押圧してインサート取付座４に固定するための押圧手段であるクランプネジ１９が螺着する。クランプネジ１９の先端は、切削インサート２０、３０のクランプ用凹所１７内に当接する。
【００８１】
〔調整機構〕
各インサート取付座４の基端側には、工具本体２の外周面に開口して軸線Ｏ方向に延びる調整機構収容凹部２４がそれぞれ形成されており、インサート取付座４の基端部は、調整機構収容凹部２４内に連通している。調整機構収容凹部２４内には、インサート取付座４に対する切削インサート２０、３０の軸線Ｏ方向の位置を調整する調整機構２５が備えられている。
【００８２】
調整機構２５は、軸部材２６と、ナット部材２７と、を有している。
軸部材２６は、その両端部がネジ軸２８、２９とされており、一対のネジ軸２８、２９同士の間に位置する円板状の部分が、これらネジ軸よりも大径の操作部とされている。操作部の外周面には、レンチ等の作業用工具が係止される係止穴が形成されている。また、一対のネジ軸２８、２９同士は、互いにネジのピッチが異なっている。具体的には、軸部材２６において軸線Ｏ方向の基端側に位置するネジ軸２８のネジのピッチが、軸線Ｏ方向の先端側に位置するネジ軸２９のネジのピッチよりも大きくされている。
【００８３】
軸部材２６のうち基端側に位置するネジ軸２８は、調整機構収容凹部２４において軸線Ｏ方向の先端側を向く壁面に開口するネジ孔３４に螺着している。軸部材２６のうち先端側に位置するネジ軸２９は、ナット部材２７に螺着している。
ナット部材２７の先端面は、切削インサート２０、３０のインサート本体１１の基端面に当接している。ナット部材２７の外周面には、レンチ等の作業用工具が係止される係止穴が形成されている。
作業用工具を操作して、軸部材２６及びナット部材２７を軸回りに回転させることにより、インサート取付座４に対する切削インサート２０、３０の軸線Ｏ方向の位置を調整することができる。
【００８４】
〔インサート取付座への切削インサートの装着姿勢及び装着手順〕
切削インサート２０、３０は、そのインサート本体１１の一方の多角形面１１Ａ及び切刃部１５のすくい面１２を工具回転方向Ｔに向け、他方の多角形面１１Ｂを工具回転方向Ｔとは反対側に向けて、工具本体２の先端から基端側へ向かってインサート取付座４に挿入される。この際、インサート本体１１の側面（径方向内側を向く側面）と取付座底面１０とが摺接し、一方の多角形面１１Ａと取付座壁面８とが摺接し、かつ、他方の多角形面１１Ｂと取付座壁面９とが摺接しながら、切削インサート２０、３０はインサート取付座４に挿入される。このようにしてインサート取付座４内に挿入された切削インサート２０、３０は、該インサート取付座４に対して径方向外側へ向けた移動が規制されている。
【００８５】
また、工具本体２の外周面から取付座底面１０までの、インサート取付座４の径方向の深さは、該インサート取付座４に配設された切削インサート２０、３０の切刃部１５の外周刃２２、３２が、工具本体２の外周面から突出する大きさとされている。そして、インサート取付座４に挿入されたインサート本体１１の基端面が、調整機構２５のナット部材２７の先端面に当接したところで、インサート本体１１は軸線Ｏ方向に着座させられる。次いで、クランプネジ１９を締め込むと、該クランプネジ１９の先端面によって、インサート本体１１のクランプ用凹所１７の底面が略垂直に押圧され、切削インサート２０、３０はインサート取付座４に固定される。
【００８６】
この状態から、インサート取付座４に取り付けられた各切削インサート２０の切刃部１５の平坦面加工切れ刃２１が、工具本体２の先端面から突出させられるとともに、軸線Ｏに垂直な１つの仮想平面上に位置するように、調整機構２５によって位置調整を行う。また、切削インサート３０の切刃部１５の凹溝加工切れ刃３１が、複数の平坦面加工切れ刃２１のうち最先端の平坦面加工切れ刃２１に対して、軸線Ｏ方向への突出量Ｓが所定値となるように、調整機構２５によって位置調整を行う。
【００８７】
〔刃先交換式フライスカッタによるフライス加工方法〕
次に、本実施形態の刃先交換式フライスカッタ１を用いた被削材のフライス加工方法について、説明する。
図８（ａ）（ｂ）に示されるように、刃先交換式フライスカッタ１により被削材Ｗをフライス加工（正面削り）するには、被削材Ｗに対して工具本体２を、周方向のうち工具回転方向Ｔに回転させつつ、軸線Ｏに直交する径方向に移動させる。図示の例では、被削材Ｗに対して工具本体２を、該被削材Ｗの延在方向に沿うように、径方向のうち移動方向Ｍに移動させている。なお、図８（ｂ）に示される上面視において、被削材Ｗの延在方向に対して、工具本体２の径方向への移動方向Ｍを、僅かに傾斜させてもよい。
【００８８】
図７〜図９に示されるように、刃先交換式フライスカッタ１は、周方向に間隔をあけて設けられる複数の切れ刃７のうち、軸線Ｏに垂直な仮想平面に沿うように延びる平坦面加工切れ刃２１（平坦面加工用の切削インサート２０の切れ刃７）を用いて、被削材Ｗに平坦面Ｆを形成する。また、複数の切れ刃７のうち、平坦面加工切れ刃２１よりも軸線Ｏ方向の先端側へ向けて突出する凹溝加工切れ刃３１（凹溝加工用の切削インサート３０の切れ刃７）を用いて、被削材Ｗに平坦面Ｆから窪む断面Ｖ字状の凹溝Ｇを形成する。
【００８９】
つまり、被削材Ｗに平坦面Ｆ及び凹溝Ｇを形成することにより、該被削材Ｗの面粗度を、所定範囲に収めるようにした。具体的には、図９（ａ）（ｂ）に示されるように、被削材Ｗの加工面に形成される凹溝Ｇ同士の間に、平坦面Ｆが残されるようにフライス加工を行い、これにより凹溝Ｇの深さ（平坦面Ｆから凹溝Ｇの底部までの距離）を一定に保持して、面粗度を所定範囲に収めるようにした。
図９（ａ）（ｂ）に示されるフライス加工後の被削材Ｗの加工面においては、凹溝Ｇの溝幅が互いに同一となるように設定しており、具体的には、例えば溝幅の狙い値をともに０．２５ｍｍとしている。また、凹溝Ｇの深さを互いに同一としている。そして、図９（ａ）に対して図９（ｂ）では、切削送り（刃当たりの送り）を１／２倍にしており、又は、切削送りは同じにして刃数（凹溝加工用の切削インサート３０の数）を２倍としている。これにより、図９（ａ）に対して図９（ｂ）では凹溝Ｇの溝ピッチが１／２倍（半分）とされている。一方、被削材Ｗの加工面の面粗度は、図９（ａ）（ｂ）の両方ともに所期する範囲に収められている。
【００９０】
具体的には、切削送りは、その変化が凹溝Ｇ同士の間隔（溝ピッチ）の変化に影響し、カッタの単位回転当たり切削送り量と凹溝加工切れ刃３１のカッタ取付刃数、位置で決定される。また、加工位置に関しては、図８（ｂ）に示すように、カッタ中心からカッタ外径方向（径方向のうち移動方向Ｍに直交する方向）に向かうほど凹溝Ｇ同士の間隔が狭くなり、凹溝加工切れ刃３１が取り付いているカッタ外径位置では凹溝Ｇ同士が重なり平坦面Ｆがゼロとなり、厳密には条件によって所期する範囲は決定される。なお、切削速度に関しては、加工面に平坦面Ｆが残されつつ正常に切削されている条件下では、切削速度の変化が面粗度に大きく影響することはない。
よって、所期する範囲の面粗度が得られるか否かは、加工面に平坦面Ｆが残されるか否かで判断でき、凹溝Ｇの幅とカッタ回転当たり切削送り量の関係により決定され、また、同時に有効な加工位置も決定される。
【００９１】
また、図８（ｂ）に示されるように、フライス加工時には、径方向の移動方向Ｍに沿う工具本体２の軸線Ｏよりも前方（図８（ｂ）における軸線Ｏの左側）に位置する凹溝加工切れ刃３１（凹溝加工用の切削インサート３０の切れ刃７）により、被削材Ｗに、前方に向けて凸となる円弧状の凹溝Ｇを形成し、径方向の移動方向Ｍに沿う軸線Ｏよりも後方（図８（ｂ）における軸線Ｏの右側）に位置する凹溝加工切れ刃３１により、被削材Ｗに、後方に向けて凸となる円弧状の凹溝Ｇを形成し、これらの凹溝Ｇ同士を交差させることで、被削材Ｗに網目状溝（クロスハッチング溝）を形成する。なお、このとき被削材Ｗの加工面には、前方に向けて凸となる円弧状の凹溝Ｇと、後方に向けて凸となる円弧状の凹溝Ｇとが、径方向の移動方向Ｍに沿って交互に形成される。
【００９２】
また、図１０（ａ）に示されるものは、刃先交換式フライスカッタ１により被削材Ｗをフライス加工し始める加工初期（カッターイン時）における、被削材Ｗに対する刃先交換式フライスカッタ１の移動（ツールパス）を説明する図であり、図１０（ｂ）に示されるものは、刃先交換式フライスカッタ１による被削材Ｗのフライス加工を終了する加工末期（カッターアウト時）における、被削材Ｗに対する刃先交換式フライスカッタ１の移動（ツールパス）を説明する図である。
なお、図１０（ａ）（ｂ）においては、刃先交換式フライスカッタ１の加工径（詳しくは、凹溝加工切れ刃３１を軸線Ｏ回りに回転させて形成される回転軌跡の直径）に対して、被削材Ｗの加工予定面（フライス加工する予定の面）の幅が小さくされている。
【００９３】
図１０（ａ）に示されるように、加工初期においては、被削材Ｗの加工予定面に対して工具本体２の先端面を軸線Ｏ方向に対向配置し、被削材Ｗに対して工具本体２を、径方向に移動させつつ軸線Ｏ方向に接近移動させてフライス削りした後、正面削りに移行する。
具体的には、被削材Ｗに対して工具本体２を、まず径方向の移動方向Ｍに移動させて正面削りしていき（水平移動）、工具本体２が加工予定面の所定位置Ｊに配置されたときに、被削材Ｗに対して工具本体２を、径方向の移動方向Ｍに移動させつつ軸線Ｏ方向に接近移動（下降）させてランピング削りし（斜め下方にテーパ移動）、その後、また被削材Ｗに対して工具本体２を、径方向の移動方向Ｍに移動させて正面削りしていく（水平移動）。
なお、カッターイン時の上記ランピング削りは、例えば、移動方向Ｍに沿う長さＸ１＝２０ｍｍあたりに、軸線Ｏ方向への下降量Ｚ１＝０．０５ｍｍ程度とされた、緩やかな傾斜で加工が行われる。
【００９４】
図１０（ｂ）に示されるように、加工末期においては、被削材Ｗの加工予定面をすべて正面削りした後、上述の正面削りに移行した位置（所定位置Ｊ）とオーバーラップする位置で、被削材Ｗに対して工具本体２を、径方向に移動させつつ軸線Ｏ方向に離間移動させる。なお、上記加工方法は、被削材Ｗが椀状をなしており、該被削材Ｗの加工面が無端の環状をなしている場合に特に有効である。
具体的には、被削材Ｗに対して工具本体２を、径方向の移動方向Ｍに移動させて正面削りしていき（水平移動）、工具本体２が所定位置Ｊに配置されたときに、被削材Ｗの加工予定部全体の正面削りが終了する。なお、この正面削りの終了時には、上面視において工具本体２が、加工初期と同じ軌道上に一致させられるように移動する。その後、この所定位置Ｊからは、被削材Ｗに対して工具本体２を、径方向の移動方向Ｍに移動させつつ軸線Ｏ方向に離間移動（上昇）させていく（斜め上方にテーパ移動）。
なお、カッターアウト時の上記テーパ移動は、例えば、移動方向Ｍに沿う長さＸ２＝１００ｍｍあたりに、軸線Ｏ方向への上昇量Ｚ２＝１ｍｍ程度とされた、緩やかな傾斜で行われる。
【００９５】
従って本実施形態では、被削材Ｗに対して工具本体２を、径方向に移動させつつ軸線Ｏ方向に接近移動させてフライス削りするとき（つまりカッターイン時）の、径方向の移動方向Ｍに沿う単位長さあたりの軸線Ｏ方向への変位量が、正面削りをすべて終えた後、被削材Ｗに対して工具本体２を、径方向に移動させつつ軸線Ｏ方向に離間移動させるとき（つまりカッターアウト時）の、径方向の移動方向Ｍに沿う単位長さあたりの軸線Ｏ方向への変位量に比べて、小さくされている。つまり、移動方向Ｍに沿う単位長さあたりの軸線Ｏ方向への変位量（つまりテーパ移動の傾き）は、カッターアウト時に比べて、カッターイン時の方が小さくされている。
【００９６】
〔本実施形態による作用効果〕
以上説明した本実施形態では、被削材Ｗに対して、フライス加工により平滑な平坦面Ｆを形成する点においては、従来のフライスカッタと同様であるが、平滑な平坦面Ｆのみを形成するのではなく、この平坦面Ｆに凹溝Ｇを形成する点に技術的特徴がある。
具体的に本実施形態では、平坦面Ｆを加工する切れ刃７（平坦面加工切れ刃２１）よりも、工具先端側へ向けて突出する凹溝加工切れ刃３１が備えられており、該凹溝加工切れ刃３１の第１傾斜部４１と第２傾斜部４２によって、被削材Ｗの平坦面Ｆには、断面Ｖ字状の凹溝Ｇが形成される。また、平坦面Ｆから窪む複数の凹溝Ｇの深さは、互いに略同一となる（つまり凹溝Ｇ同士の深さが一定となる）。これにより被削材Ｗには、平坦面Ｆと、凹溝Ｇの最深部との間の距離（深さ）に概ね対応する面粗度とされた、所期する表面粗さを有する加工面が形成される。なお、凹溝Ｇの最深部の断面形状は、凹溝加工切れ刃３１の第１傾斜部４１と第２傾斜部４２とを連結する先端部４３の形状に対応して、例えば本実施形態のように鈍角の尖った角部（ピンカド）とされたり、或いは直角のピンカドや小Ｒ等とされる。
【００９７】
つまり、従来のように被削材Ｗに平坦面Ｆをフライス加工しつつ、本実施形態ではこのフライス加工中（同一工程）において、該平坦面Ｆに凹溝Ｇをフライス加工する。このような簡単かつ特別な手法によって、被削材Ｗの加工面（フライス加工された面）に対して、所期する範囲（所定範囲）の面粗度を精度よく付与することができる。
【００９８】
具体的には、例えば、Ｒｚ（十点平均粗さ）で数μｍから数十μｍ程度の所定範囲の面粗度とされた加工面を、被削材Ｗに高精度に形成できる。つまり、被削材Ｗの面粗度を、いわゆる細かすぎず粗すぎない面粗度（所望の上限値と下限値の間に収まる面粗度）として、要求される範囲に収めることができる。また、被削材Ｗの面粗度をコントロール（制御）することができる。
しかも、本実施形態によれば、切削送り、加工位置等の切削条件による影響を受けにくいことから、種々の切削条件において、所期する範囲の面粗度とされた加工面を、被削材Ｗに安定して形成することができる。
【００９９】
従って、例えば自動車用のクラッチハウジングやトランスミッションケースなどの、一対のケース体の合わせ面のフライス加工において本実施形態を適用することにより、該合わせ面に対して、所期する面粗度を精度よく付与して、合わせ面同士の間に介在するシール剤の保持性やシール効果を顕著に高めることができる。
【０１００】
また、本実施形態では、凹溝加工切れ刃３１の第１傾斜部４１と第２傾斜部４２によって、断面Ｖ字状の凹溝Ｇが形成されるため、一定の形状とされた凹溝Ｇを安定して複数形成することができる。また、フライス加工後において、被削材Ｗの加工面に凹溝Ｇが形成されたことを視認しやすくすることができる。なお、視認性を高める観点からは、凹溝加工切れ刃３１における第１傾斜部４１と第２傾斜部４２とを連結する先端部４３が、小Ｒよりはピンカド（鈍角、直角等）に形成されているとより反射量が大きくなり、好ましい。
【０１０１】
以上より本実施形態によれば、製造を複雑にすることなくフライス加工のみによって、被削材Ｗに対して所期する範囲の面粗度を精度よく付与することができる。
【０１０２】
また本実施形態では、工具本体２に設けられる複数の切れ刃７に、平坦面加工切れ刃２１が複数含まれており、これらの平坦面加工切れ刃２１のうち、最も軸線Ｏ方向の先端側に位置する最先端の平坦面加工切れ刃２１に対して、凹溝加工切れ刃３１が、軸線Ｏ方向の先端側へ向けて突出しているので、下記の作用効果を奏する。
すなわちこの場合、刃先交換式フライスカッタ１に設けられた複数の平坦面加工切れ刃２１のうち、最も軸線Ｏ方向の先端側に位置する最先端の平坦面加工切れ刃２１によって被削材Ｗがフライス加工されたときに、被削材Ｗの平坦面Ｆの最終的な軸線Ｏ方向の高さ位置が決まる。そして、この最終的な高さ位置の平坦面Ｆに対して、凹溝加工切れ刃３１が所定深さの凹溝Ｇを形成する。従って、被削材Ｗに形成される加工面の面粗度が、所期する範囲の中でも狙い値（中央値）により近い高精度なものとなる。
【０１０３】
また本実施形態では、工具本体２における凹溝加工切れ刃３１の工具回転方向Ｔに、最先端の平坦面加工切れ刃２１が隣り合って配置されるので、下記の作用効果を奏する。
すなわちこの場合、工具最先端に位置する平坦面加工切れ刃２１に対して、凹溝加工切れ刃３１がその直後（工具回転方向Ｔとは反対側の直後）に配置されている。従って、被削材Ｗの平坦面Ｆの最終的な軸線Ｏ方向の高さ位置が決まった直後に、この平坦面Ｆに連続的に凹溝加工切れ刃３１が切り込んで凹溝Ｇが形成されるので、該凹溝Ｇの深さが所期する値に近いものになりやすく、また被削材Ｗに形成される加工面の面粗度も狙い値に近い高精度なものになりやすい。
すなわち、理論的には、工具本体２における凹溝加工切れ刃３１の周方向位置が、最先端の平坦面加工切れ刃２１の周方向近傍に配置されていなくても、最先端の平坦面加工切れ刃２１に対する凹溝加工切れ刃３１の軸線Ｏ方向先端側へ向けた突出量Ｓが正確にセットされれば、上記効果は得られるはずである。しかしながら実際には、フライスカッタ１の剛性や変形、セット時の測定誤差等が生じるため、突出量Ｓを正確にセットすることが難しい場合がある。そこで本実施形態では、工具最先端に位置する平坦面加工切れ刃２１に対して、凹溝加工切れ刃３１を直後（工具回転方向Ｔとは反対側の直後）に配置することにより、セットバラつき、変形による変位等を抑えて、突出量Ｓの精度を安定させることができるようにした。つまり、加工精度の安定性を考慮すると、最先端の平坦面加工切れ刃２１の周方向近傍に、凹溝加工切れ刃３１を配置することが望ましい。
【０１０４】
詳しくは、一般にフライスカッタにおいては、工具本体２の軸線Ｏが、被削材Ｗの加工予定面（フライス加工される面）に対して垂直とされずに、僅かに傾斜して配置される場合がある（いわゆるヒール角が付与されることがある）。また、スピンドル（主軸）の振れ（加工する平坦面Ｆからの振れ）が有ったりすると、平坦面Ｆからの凹溝Ｇの深さが所期する値から外れることが多くなる。
一方、本実施形態の上記構成によれば、工具本体２にたとえヒール角が付与されていたり、スピンドルに振れが有ったりしても、最先端の平坦面加工切れ刃２１の直後に連続して凹溝加工切れ刃３１が切り込むため、工具本体２の軸線Ｏの傾斜や振れ等による加工品位への影響を、確実に抑制することができる。
なお、本実施形態では、工具本体２における凹溝加工切れ刃３１の工具回転方向Ｔに、最先端の平坦面加工切れ刃２１が隣り合って配置されるとしたが、これに代えて、凹溝加工切れ刃３１の工具回転方向Ｔとは反対側に、最先端の平坦面加工切れ刃２１が隣り合って配置されてもよい。この場合も、上記同様に加工精度を安定させることができる。
【０１０５】
また本実施形態では、平坦面加工切れ刃２１を軸線Ｏ回りに回転させて形成される回転軌跡の、径方向の長さＰの範囲内又は径方向の内側に、凹溝加工切れ刃３１が配置されるので、下記の作用効果を奏する。
すなわちこの場合、被削材Ｗの加工面に所期する面粗度を安定して付与しやすくなる。特に、平坦面加工切れ刃２１を周方向に回転させて形成される回転軌跡の径方向の長さＰの範囲内に、凹溝加工切れ刃３１が配置される場合には、凹溝加工切れ刃３１の平坦面加工切れ刃２１からの軸線Ｏ方向先端側へ向けた突出量Ｓを正確に管理しやすくなる。また、平坦面加工切れ刃２１がフライス加工した平坦面Ｆに、凹溝加工切れ刃３１がほぼ同時に切り込む（ほぼ同じ送り位置において切り込む）こととなるため、被削材Ｗに所期する範囲の面粗度とされた加工面をより形成しやすくなる。
なお、被削材Ｗとフライスカッタ１の位置関係において、カッタの凹溝加工切れ刃３１の回転軌跡が重なる部分と、その近傍は面粗度が良くなり（平坦面Ｆが無くなり）面粗度をコントロールできないので、この部分での加工を避けるため、被削材Ｗの加工幅（加工面の幅）に対して、カッタ径とカッタ軌跡の適切な選定が必要である。
【０１０６】
また、凹溝加工切れ刃３１の第１傾斜部４１と第２傾斜部４２との間に形成される角度θが、鈍角又は直角であり、本実施形態では鈍角とされているので、下記の作用効果を奏する。
すなわちこの場合、凹溝加工切れ刃３１の第１傾斜部４１と第２傾斜部４２との間に形成される角度θ（先端角）が、鈍角又は直角であって鋭角とされてはいないので、該凹溝加工切れ刃３１により被削材Ｗに確実に凹溝Ｇを形成しつつも、この凹溝加工切れ刃３１の刃先強度が確保される。従って、凹溝加工切れ刃３１の欠損抑制効果が得られ、長期に亘り安定して凹溝Ｇをフライス加工できる。
また、被削材Ｗの加工面に形成される凹溝Ｇの溝幅を広く確保できるので、フライス加工後の凹溝Ｇの視認性を高めることができる。さらに、凹溝Ｇの溝幅が広い分、例えばこの加工面の表面近傍（凹溝Ｇの底部よりも開口部近傍）でシール剤を保持させやすくすることができ、よってシール効果の向上が期待できる。
【０１０７】
また本実施形態では、凹溝加工切れ刃３１の第１傾斜部４１と第２傾斜部４２とが、先端部４３を通り軸線Ｏに平行な仮想直線Ｃを対称軸として、線対称形状に形成されているので、下記の作用効果を奏する。
すなわちこの場合、凹溝加工切れ刃３１のうち、先端部４３を通る仮想直線Ｃ（対称軸）の径方向内側に位置する第１傾斜部４１と、径方向外側に位置する第２傾斜部４２とで、形状が互いに線対称であるので、製造が容易である。
また、被削材Ｗの加工面に形成される凹溝Ｇの断面形状が、凹溝加工切れ刃３１の形状に応じて線対称形状に形成されるので、該凹溝Ｇの視認性を、見る角度等に係わらず向上させることができる。
【０１０８】
なお、凹溝加工切れ刃３１の第１傾斜部４１と、第２傾斜部４２とで、切削抵抗や切屑形態を均等化する観点からは、仮想直線Ｃを挟んで第１傾斜部４１と第２傾斜部４２とが、線対称形状に形成されていない（非線対称形状とされている）ことが好ましい。またこの場合、図１６（ａ）（ｂ）に示されるように、凹溝加工切れ刃３１のすくい面を正面に見て、第１傾斜部４１の傾き（軸線Ｏに垂直な仮想平面（不図示）に対する傾斜角）が、第２傾斜部４２の傾きよりも小さくされていることが望ましい。
【０１０９】
詳しくは、切削加工時においては、凹溝加工切れ刃３１のうち、径方向内側に位置する第１傾斜部４１における周速度が、径方向外側に位置する第２傾斜部４２における周速度よりも小さくなる。このため、これら第１、第２傾斜部４１、４２の切削抵抗や切屑形態を均等化させるには、第１傾斜部４１での切削量（単位切り込み当たりの削り代）を、第２傾斜部４２での切削量よりも大きく設定する必要がある。
従って、凹溝加工切れ刃３１は、先端部４３を通り軸線Ｏに平行な仮想直線Ｃに関して非線対称形状に形成されることが好ましい。また、第１傾斜部４１の傾きが、第２傾斜部４２の傾きよりも小さくされている（寝かされている）ことにより、第２傾斜部４２での切削量に比べて第１傾斜部４１での切削量を大きく確保しやすくなることから、望ましい。
【０１１０】
なお、第１、第２傾斜部４１、４２の傾斜角については、凹溝加工切れ刃３１のすくい面を正面に見て、仮想直線Ｃを中心とした左右（径方向内側、径方向外側）の切れ刃部分（第１傾斜部４１、第２傾斜部４２）の切削バランスや切屑形態を考慮し、個別に角度が設定される。
【０１１１】
また、本実施形態のフライスカッタは、工具本体２の先端外周部に、周方向に互いに間隔をあけて複数のインサート取付座４が形成され、複数のインサート取付座４に、切れ刃７を有する切削インサート２０、３０がそれぞれ着脱可能に装着される刃先交換式フライスカッタ１であるので、下記の作用効果を奏する。
すなわちこの場合、例えば切れ刃７が摩耗や損傷等した場合に、切削インサート２０、３０を交換することでこの切れ刃７を新しくすることができる。つまり、切れ刃７の切れ味を高く維持して切削効率を安定化させることができ、また切れ刃の交換についても簡単かつ安価に対応可能である。
具体的に、例えば、凹溝加工切れ刃３１を有する切削インサート３０は、被削材Ｗに対して摺動する切れ刃部分（摺動辺）が長く、その分摩耗量が多くなるが、切削インサート３０を交換することで容易に対応できる。
【０１１２】
ここで、図１１〜図１６として、本実施形態で説明した凹溝加工用の切削インサート３０の変形例を示す。
図１１及び図１２に示される変形例では、切削インサート３０の切れ刃７は、インサート本体１１の長手方向に沿うインサート外側へ向けて突出する凸Ｖ字状をなす凹溝加工切れ刃３１（正面刃）と、インサート本体１１の長手方向に沿って直線状に延びる外周刃３２と、を有しており、これらの刃３１、３２同士がコーナ刃を介さずに直接接続されている。
また、凹溝加工切れ刃３１の第１傾斜部４１と第２傾斜部４２との間に形成される角度θ（先端角）は、鈍角とされていて、具体的にはこの角度θが、例えば１２０°とされている。また、第１傾斜部４１と第２傾斜部４２とは、先端部４３を通り工具本体２の軸線Ｏに平行な仮想直線Ｃを対称軸として、線対称形状に形成されている。
図１１及び図１２に示される変形例においても、上述した本実施形態と同様の作用効果を得ることができる。
【０１１３】
また、図１３及び図１４に示される変形例においても、切削インサート３０の切れ刃７は、インサート本体１１の長手方向に沿うインサート外側へ向けて突出する凸Ｖ字状をなす凹溝加工切れ刃３１（正面刃）と、インサート本体１１の長手方向に沿って直線状に延びる外周刃３２と、を有しており、これらの刃３１、３２同士がコーナ刃を介さずに直接接続されている。
また、凹溝加工切れ刃３１の第１傾斜部４１と第２傾斜部４２との間に形成される角度θ（先端角）は、直角とされていて、具体的にはこの角度θが９０°である。また、第１傾斜部４１と第２傾斜部４２とは、先端部４３を通り工具本体２の軸線Ｏに平行な仮想直線Ｃを対称軸として、線対称形状に形成されている。
図１３及び図１４に示される変形例においても、上述した本実施形態と同様の作用効果を得ることができる。
【０１１４】
また、図１５及び図１６に示される変形例では、切削インサート３０の切れ刃７は、インサート本体１１の長手方向に沿うインサート外側へ向けて突出する凸Ｖ字状をなす凹溝加工切れ刃３１（正面刃）と、インサート本体１１の長手方向に沿ってインサート外側（軸線Ｏ方向の先端側）へ向かうに従い漸次短手方向のインサート内側（径方向の内側）へ向けて傾斜する直線状の外周刃３２と、を有している。
また、凹溝加工切れ刃３１のうち、第１傾斜部４１は、工具本体２の径方向の外側（図１６における右側）へ向かうに従い軸線Ｏ方向の先端側へ向かって延びる直線状をなしており、第２傾斜部４２は、第１傾斜部４１の径方向の外側に配置され、径方向の外側へ向かうに従い軸線Ｏ方向の基端側へ向かって延びる凸曲線状をなしている。また、第１傾斜部４１と第２傾斜部４２とを連結する先端部４３は、工具先端側へ向けて凸となる凸曲線状をなしている。また、第１傾斜部４１と第２傾斜部４２とは、先端部４３を通り工具本体２の軸線Ｏに平行な仮想直線Ｃ（不図示）に関して、非線対称形状に形成されている（つまり線対称形状ではない）。
図１５及び図１６に示される変形例においても、上述した本実施形態と同様の作用効果を得ることができる（ただし上述の線対称形状による効果を除く）。
【０１１５】
また本実施形態では、被削材Ｗに平坦面Ｆと凹溝Ｇを形成することにより、該被削材Ｗの面粗度を、所定範囲に収めるようにしたので、フライス加工された加工面において、例えばシール剤の保持性やシール効果を、所期する性能にまで確実に高めることができる。
【０１１６】
また本実施形態では、径方向の移動方向Ｍに沿う工具本体２の軸線Ｏよりも前方に位置する凹溝加工切れ刃３１により、被削材Ｗに、前方に向けて凸となる円弧状の凹溝Ｇを形成し、径方向の移動方向Ｍに沿う工具本体２の軸線Ｏよりも後方に位置する凹溝加工切れ刃３１により、被削材Ｗに、後方に向けて凸となる円弧状の凹溝Ｇを形成し、これらの凹溝Ｇ同士を交差させることで、被削材Ｗに網目状溝を形成するようにしたので、下記の作用効果を奏する。
すなわちこの場合、フライス加工後の被削材Ｗの加工面には、凹溝Ｇ同士が交差させられた網目状溝（クロスハッチング溝）が形成される。従って、被削材Ｗの加工面において、凹溝Ｇを見る角度等に係わらず視認しやすくすることができる。
また、被削材Ｗの加工面に凹溝Ｇを形成したことによる効果が安定したものとなる。具体的に、被削材Ｗの加工面に形成された凹溝Ｇ同士は、互いに連通されているので、例えば凹溝Ｇにシール剤を保持するような場合において、シール剤を凹溝Ｇに供給した時点では加工面の各部で保持量に偏りが生じていたとしても、互いに連通された凹溝Ｇ内を通して、このような偏りが自然に解消される。つまり、シール剤を加工面全体に均等に保持することができるので、シール効果が安定する。また、被削材Ｗの加工面において、凹溝Ｇ同士の配置間隔が小さくなるので、該加工面の面粗度のバラつきを顕著に小さくすることができる。
【０１１７】
また本実施形態では、凹溝加工切れ刃３１において、第１傾斜部４１と第２傾斜部４２との間に形成される角度θを、鈍角又は直角とし、被削材Ｗに付与する予定の面粗度に応じて、角度θの大きさを設定することとしたので、下記の作用効果を奏する。
すなわちこの場合、凹溝加工切れ刃３１の第１傾斜部４１と第２傾斜部４２との間に形成される角度θ（先端角）が、鈍角又は直角であり、鋭角とされてはいないので、上述した鈍角又は直角による作用効果と同様の作用効果が得られる。
【０１１８】
さらに、上記構成によれば、被削材Ｗに付与する予定の面粗度（狙いの面粗度）に応じて、凹溝加工切れ刃３１の角度θ（先端角）の大きさを設定する（適宜選択する）ようにしたので、下記の作用効果が得られる。
例えば、被削材Ｗに付与する予定の面粗度が、５〜２０μｍ、２０〜４０μｍ、４０〜６０μｍのうちいずれかの範囲であるものとする。この場合において、被削材Ｗの加工面に対して、小さい面粗度である上記５〜２０μｍの範囲となるように凹溝Ｇを形成するときには、凹溝加工切れ刃３１の先端角θの大きさを、例えば１７０°（大きな先端角）に設定する。また、中くらいの大きさの面粗度である上記２０〜４０μｍの範囲となるように凹溝Ｇを形成するときには、凹溝加工切れ刃３１の先端角θの大きさを、例えば１６０°（中くらいの大きさの先端角）に設定する。また、大きい面粗度である上記４０〜６０μｍの範囲となるように凹溝Ｇを形成するときには、凹溝加工切れ刃３１の先端角θの大きさを、例えば１５０°（小さな先端角）に設定する。つまり、被削材Ｗに付与する予定の面粗度が大きくなるに従い（凹溝Ｇの深さが深くなるに従い）、凹溝加工切れ刃３１の先端角θの大きさを小さくしていくことにより、被削材Ｗの加工面に形成される凹溝Ｇの溝幅（溝開口部の幅）や溝本数を安定させて、見やすくすることができる。
【０１１９】
また本実施形態では、凹溝加工切れ刃３１を周方向に回転させて形成される回転軌跡の直径（フライスカッタの加工径）よりも、加工予定面の幅が小さくされた被削材Ｗをフライス加工するときに、加工予定面に対して工具本体２を軸線Ｏ方向に対向配置し、被削材Ｗに対して工具本体２を、径方向に移動させつつ軸線Ｏ方向に接近移動させてフライス削りした後、正面削りに移行し、加工予定面をすべて正面削りした後は、正面削りに移行した位置（所定位置Ｊ）とオーバーラップする位置で、被削材Ｗに対して工具本体２を、径方向に移動させつつ軸線Ｏ方向に離間移動させることとしたので、下記の作用効果を奏する。
すなわちこの場合、正面削り（工具本体２の軸線Ｏに垂直な加工面を形成するフライス削り）に移行する前においては、被削材Ｗの加工予定面に、工具本体２を軸線Ｏ方向に対向配置した状態から、被削材Ｗに対して工具本体２を、径方向に移動させつつ軸線Ｏ方向に接近移動させてフライス削りしていく。また、加工予定面を一通り正面削りした後には、正面削りに移行したときの位置とオーバーラップする位置において、被削材Ｗに対して工具本体２を、径方向に移動させつつ軸線Ｏ方向に離間移動させて、加工を終了する。
【０１２０】
このようにフライス加工された被削材Ｗの加工面には、加工開始時及び終了時に従来では意図せず形成されていた工具進入・退出による痕跡（いわゆるカッターマーク）が形成され難くなる。従って、本実施形態の上記構成によれば、被削材Ｗの加工面にカッターマークが形成されることを防止でき、該加工面全体にわたって凹溝Ｇが均等に形成されるため、上述した本実施形態の作用効果がこの加工面全体にわたって安定して奏功されることになる。
【０１２１】
なお、正面削りに移行するときと正面削りを終えるときにおいて、被削材Ｗに対して工具本体２を移動させる径方向の向きは、互いに同一であることが好ましい。具体的には、正面削りに移行するときに工具本体２が移動させられる径方向の移動方向Ｍに沿う軌道と、正面削りを終えるときに工具本体２が移動させられる径方向の移動方向Ｍに沿う軌道とが、互いに一致していることが好ましい。これにより、カッターマークの発生をさらに顕著に抑制することができ、加工面を高品位に仕上げることが可能になる。
【０１２２】
また本実施形態では、被削材Ｗに対して工具本体２を、径方向に移動させつつ軸線Ｏ方向に接近移動させてフライス削りするときの、径方向の移動方向Ｍに沿う単位長さあたりの軸線Ｏ方向への変位量を、正面削りをすべて終えた後、被削材Ｗに対して工具本体２を、径方向に移動させつつ軸線Ｏ方向に離間移動させるときの、径方向の移動方向Ｍに沿う単位長さあたりの軸線Ｏ方向への変位量に比べて、小さくしたので、下記の作用効果を奏する。
すなわちこの場合、被削材Ｗに対して工具本体２をカッターインするときのテーパ移動の傾き（移動方向Ｍに沿う単位長さあたりの軸線Ｏ方向への変位量）が、工具本体２をカッターアウトするときのテーパ移動の傾きよりも小さくされているので、特に正面削りを開始する際につきやすいカッターマークを、効果的に抑制することができる。
【０１２３】
また本実施形態では、最先端の平坦面加工切れ刃２１に対して、凹溝加工切れ刃３１が軸線Ｏ方向の先端側へ向けて突出する突出量Ｓが、所期する面粗度に応じて所定値に設定されているので、下記の作用効果を奏する。
すなわちこの場合、複数の平坦面加工切れ刃２１のうち、最先端の平坦面加工切れ刃２１に対して、凹溝加工切れ刃３１が軸線Ｏ方向の先端側へ向けて突出する突出量Ｓを、所期する面粗度に応じた所定値に予め設定することにより、被削材Ｗに形成される加工面の面粗度が、さらに高精度なものとなる。具体的に、突出量Ｓは、上述した式１、２等により説明したように、所期する面粗度（狙いの面粗度）よりも小さい値に設定されることが好ましい。
【０１２４】
〔本発明に含まれるその他の構成〕
なお、本発明は前述の実施形態に限定されるものではなく、本発明の趣旨を逸脱しない範囲において種々の変更を加えることが可能である。
【０１２５】
例えば、前述の実施形態では、フライスカッタとして、刃先交換式フライスカッタ１を用いて説明したが、これに限定されるものではない。すなわち本発明は、例えば、工具本体の先端外周部に、軸線回りに互いに間隔をあけて複数の切れ刃チップがろう付け等により接合された、刃先交換式ではないフライスカッタにも適用可能である。
【０１２６】
また、前述の実施形態では、工具本体２において、凹溝加工切れ刃３１の工具回転方向Ｔ又は工具回転方向Ｔとは反対側に、最先端の平坦面加工切れ刃２１が隣り合って配置されることとしたが、これに限定されるものではなく、これらの刃３１、２１同士が周方向に隣り合っていなくてもよい。ただし、前述の実施形態のように構成されることにより、被削材Ｗの加工面の面粗度を顕著に安定させることができ、好ましい。
【０１２７】
また、前述の実施形態では、工具本体２の複数のインサート取付座４のうち、凹溝加工用の切削インサート３０が、１つのインサート取付座４のみに設けられ、それ以外の複数のインサート取付座４には、平坦面加工用の切削インサート２０がそれぞれ設けられていることとしたが、これに限定されるものではない。すなわち、工具本体２の複数のインサート取付座４に対して、凹溝加工用の切削インサート３０が、複数のインサート取付座４に設けられていてもよい（つまり、工具本体２に凹溝加工用の切削インサート３０が２つ以上設けられていてもよい）。この場合、フライス加工時の切削送り等を高めて、加工効率を向上することが可能になる。なお、凹溝加工用の切削インサート３０が複数設けられる場合には、工具本体２においてこれら切削インサート３０同士が、互いに周方向均等に間隔をあけて配置されることにより、被削材Ｗの加工面に形成される凹溝Ｇ同士の溝ピッチが均等となり、好ましい。
【０１２８】
その他、本発明の趣旨から逸脱しない範囲において、前述の実施形態、変形例及びなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【符号の説明】
【０１２９】
１  刃先交換式フライスカッタ（フライスカッタ）
２  工具本体
４  インサート取付座
７  切れ刃
１１  インサート本体
１２  すくい面
１３  逃げ面
２０  切削インサート（平坦面加工用の切削インサート）
２１  平坦面加工切れ刃（正面刃）
３０  切削インサート（凹溝加工用の切削インサート）
３１  凹溝加工切れ刃（正面刃）
４１  第１傾斜部
４２  第２傾斜部
４３  先端部
Ｃ  仮想直線（対称軸）
Ｆ  平坦面
Ｇ  凹溝
Ｊ  所定位置（正面削りに移行した位置）
Ｍ  径方向の移動方向
Ｏ  軸線
Ｐ  長さ（平坦面加工切れ刃の径方向の長さ、刃長）
Ｔ  工具回転方向
Ｗ  被削材
θ  角度（先端角）
【図１】
2017185601.tif 000003
【図２】
2017185601.tif 000004
【図３】
2017185601.tif 000005
【図４】
2017185601.tif 000006
【図５】
2017185601.tif 000007
【図６】
2017185601.tif 000008
【図７】
2017185601.tif 000009
【図８】
2017185601.tif 000010
【図９】
2017185601.tif 000011
【図１０】
2017185601.tif 000012
【図１１】
2017185601.tif 000013
【図１２】
2017185601.tif 000014
【図１３】
2017185601.tif 000015
【図１４】
2017185601.tif 000016
【図１５】
2017185601.tif 000017
【図１６】
2017185601.tif 000018